(57)【要約】【課題】音楽ＣＤに含まれている複数の曲の着メロコンテンツを検出する商品サーバ装置を提供する。【解決手段】商品サーバ装置は、ネットワーク３０を介して携帯情報端末１０に接続する送受信部２１を備えている。識別コード属性記憶部２４は、音楽のＣＤパッケージ５０に付されたバーコード５１から一意に特定される識別コードに対応付けて当該ＣＤに含まれている曲名のリストを記憶する。着メロコンテンツ記憶部は、曲名リストに対応する着メロを記憶する。商品検索処理部２２は、識別コードを携帯情報端末１０から受信し、識別コードに基づいて識別コード属性記憶部２４から曲名リストを読み出し、更に曲名リストに対応する着メロコンテンツが存在するかを着メロコンテンツ記憶部２５を参照して確認する。そして、着メロコンテンツが存在する曲名を含んだウェブページを生成し、そのウェブページへのＵＲＬを携帯情報端末１０に送信する。【選択図】    図１
2005284689.tif 000002
【特許請求の範囲】
【請求項１】
ネットワークを介して携帯情報端末に接続された送受信部を備えた商品サーバ装置において、
商品の包装に付されたパターンコードから一意に特定される識別コードに対応付けて前記商品に関連する関連商品情報を記憶する関連商品情報記憶部と、
前記関連商品情報に対応するコンテンツの情報を記憶するコンテンツ記憶部と、
前記識別コードを含んだ情報を前記携帯情報端末から前記送受信部を介して受信する商品情報受付手段と、
前記識別コードに基づいて前記関連商品情報記憶部から前記関連商品情報を読み出し、前記関連商品情報に対応する前記コンテンツが前記コンテンツ記憶部に存在するかを確認する商品検出手段と、
前記関連商品情報のうち前記コンテンツが存在する前記関連商品情報を含むウェブページを生成し、前記ウェブページへの参照情報を前記送受信部を介して前記携帯情報端末に送信する商品情報応答手段と、
を備えたことを特徴する商品サーバ装置。
【請求項２】
前記ユーザ識別子を認証する認証手段を更に備え、
前記商品情報受付手段は、
前記識別コードと共に前記携帯情報端末のユーザを一意に特定するユーザ識別子を前記携帯情報端末から受信し、
商品情報応答手段は、
前記認証手段で前記ユーザ識別子を認証できた場合に、前記ウェブページへの参照情報を前記送受信部を介して前記携帯情報端末に送信することを特徴とする請求項１に記載の商品サーバ装置。
【請求項３】
前記商品サーバ装置は決済処理を行う電子決済サーバ装置に接続しており、
前記コンテンツは、前記携帯情報端末が利用するデジタルコンテンツであり、
前記携帯情報端末において選択された前記関連商品情報を前記送受信部が受信した場合に、購入画面への参照情報を前記送受信部を介して前記携帯情報端末に送信する購入画面表示手段と、
前記携帯情報端末から購入要求を前記送受信部が受信し、前記電子決済サーバ装置に前記購入要求を送信し、購入の決済処理の完了通知を前記電子決済サーバ装置から受信した後に、選択された前記関連商品情報に対応する前記デジタルコンテンツを前記コンテンツ記憶部から読み出し前記携帯情報端末に送信する商品配信手段と、
を備えたことを特徴とする請求項１または２に記載の商品サーバ装置。
【請求項４】
前記商品は音楽ＣＤであり、前記パターンコードは前記音楽ＣＤに付されるバーコードであり、前記識別コードはバーコードとの組み合わせで利用されるＪＡＮコードであり、前記関連商品情報は前記音楽ＣＤに含まれる曲名のリストであり、前記コンテンツは前記曲名に対応する携帯情報端末用の着信メロディのデジタルコンテンツであることを特徴とする請求項１乃至３のいずれか１つに記載の商品サーバ装置。
【請求項５】
ネットワークを介して携帯情報端末に接続され、商品の包装に付されたパターンコードから一意に特定される識別コードに対応づけて前記商品に関連する関連商品情報を記憶する関連商品情報記憶部と、前記関連商品情報に対応するコンテンツを記憶するコンテンツ記憶部と、を備えた商品サーバ装置の商品検索方法であって、
前記識別コードを含んだ情報を前記携帯情報端末から受信する過程と、
受信した前記識別コードに基づいて前記関連商品情報記憶部から前記関連商品情報を検出し、前記関連商品情報に対応する前記コンテンツが前記コンテンツ記憶部に存在するかを確認する過程と、
前記関連商品情報のうち前記コンテンツが存在する前記関連商品情報を含むウェブページを生成し、前記ウェブページへの参照情報を前記携帯情報端末に送信する過程と、
と備えたことを特徴する商品検索方法。
【請求項６】
ネットワークを介して携帯情報端末に接続され、商品の包装に付されたパターンコードから一意に特定される識別コードに対応づけて前記商品に関連する関連商品情報を記憶する関連商品情報記憶部と、前記関連商品情報に対応するコンテンツを記憶するコンテンツ記憶部と、を備えた商品サーバ装置のコンピュータに、
前記識別コードを含んだ情報を前記携帯情報端末から受信する手順、
受信した前記識別コードに基づいて前記関連商品情報記憶部から前記関連商品情報を検出し、前記関連商品情報に対応する前記コンテンツが前記コンテンツ記憶部に存在するかを確認する手順、
前記関連商品情報のうち前記コンテンツが存在する前記関連商品情報を含むウェブページを生成し、前記ウェブページへの参照情報を前記携帯情報端末に送信する手順、
を実行させるコンピュータプログラム。
【発明の詳細な説明】
【技術分野】
【０００１】
本発明は、商品情報の検索及び購入決済処理を行う商品サーバ装置及び商品検索方法並びにそのコンピュータプログラムに関する。
【背景技術】
【０００２】
従来、携帯電話端末で利用される着信メロディ（以下、着メロ）の入手手段としては、インターネットに接続するサーバにおいて提供される着信メロサイトに携帯電話端末から移動体通信網を介して接続し、その着メロを検出してダウンロードするという手段が一般的である。携帯電話端末の場合には、パーソナルコンピュータのキーボードのように簡単に文字入力することが困難なので、例えばアーティスト名、曲名などの先頭文字を頼りに絞り込む検索手段が用いられている。
しかし、このような手段においても所望の着メロをダウンロード要求するページまで到達するには多くの操作が必要である。このような多くの操作を省くために、音楽のＣＤ（Ｃｏｍｐａｃｔ  Ｄｉｓｃ）等の包装に付されている識別コードをユーザが携帯電話端末において入力し、予めサーバが記憶している識別コードに対応する着メロダウンロードサイトのＵＲＬを携帯電話端末に応答する手段が提案されている。（例えば、特許文献１参照）。
【特許文献１】特開２００２−１４２０４４号公報
【発明の開示】
【発明が解決しようとする課題】
【０００３】
しかしながら、特許文献１に示す手段においては、１つの識別コードと１つの着メロのコンテンツを対応付けているだけで、例えば、１つの音楽ＣＤに複数の楽曲を含む場合を考慮していないという問題がある。
【０００４】
本発明は、上記問題を解決すべくなされたもので、その目的は、１つの音楽ＣＤに複数の楽曲が含まれる場合においてもそれぞれの着メロコンテンツを自動的に検索することができる商品サーバ装置を提供することにある。
【課題を解決するための手段】
【０００５】
上述した課題を解決するために、請求項１に記載の発明は、ネットワークを介して携帯情報端末（携帯情報端末１０）に接続された送受信部（送受信部２１）を備えた商品サーバ装置（商品サーバ装置２０）において、商品の包装（ＣＤパッケージ５０）に付されたパターンコード（バーコード５１）から一意に特定される識別コードに対応付けて前記商品に関連する関連商品情報を記憶する関連商品情報記憶部（識別コード属性記憶部２４）と、前記関連商品情報に対応するコンテンツの情報を記憶するコンテンツ記憶部（着メロコンテンツ記憶部２５）と、前記識別コードを含んだ情報を前記携帯情報端末から前記送受信部を介して受信する商品情報受付手段（商品検索処理部２２）と、前記識別コードに基づいて前記関連商品情報記憶部から前記関連商品情報を読み出し、前記関連商品情報に対応する前記コンテンツが前記コンテンツ記憶部に存在するかを確認する商品検出手段（商品検索処理部２２）と、前記関連商品情報のうち前記コンテンツが存在する前記関連商品情報を含むウェブページを生成し、前記ウェブページへの参照情報を前記送受信部を介して前記携帯情報端末に送信する商品情報応答手段（商品検索処理部２２）と、を備えたことを特徴する商品サーバ装置である。
【０００６】
請求項２に記載の発明は、請求項１に記載の発明において、前記ユーザ識別子を認証する認証手段（ユーザ認証部２３）を更に備え、前記商品情報受付手段は、前記識別コードと共に前記携帯情報端末のユーザを一意に特定するユーザ識別子を前記携帯情報端末から受信し、商品情報応答手段は、前記認証手段で前記ユーザ識別子を認証できた場合に、前記ウェブページへの参照情報を前記送受信部を介して前記携帯情報端末に送信することを特徴とする。
【０００７】
請求項３に記載の発明は、請求項１または２に記載の発明において、前記商品サーバ装置は決済処理を行う電子決済サーバ装置（ＥＣサーバ装置４０）に接続しており、前記コンテンツは、前記携帯情報端末が利用するデジタルコンテンツであり、前記携帯情報端末において選択された前記関連商品情報を前記送受信部が受信した場合に、購入画面への参照情報を前記送受信部を介して前記携帯情報端末に送信する購入画面表示手段と、前記携帯情報端末から購入要求を前記送受信部が受信し、前記電子決済サーバ装置に前記購入要求を送信し、購入の決済処理の完了通知を前記電子決済サーバ装置から受信した後に、選択された前記関連商品情報に対応する前記デジタルコンテンツを前記コンテンツ記憶部から読み出し前記携帯情報端末に送信する商品配信手段（商品検索処理部２２）と、を備えたことを特徴とする。
【０００８】
請求項４に記載の発明は、請求項１乃至３のいずれか１つに記載の発明において、前記商品は音楽ＣＤであり、前記パターンコードは前記音楽ＣＤに付されるバーコードであり、前記識別コードはバーコードとの組み合わせで利用されるＪＡＮコードであり、前記関連商品情報は前記音楽ＣＤに含まれる曲名のリストであり、前記コンテンツは前記曲名に対応する携帯情報端末用の着信メロディのデジタルコンテンツであることを特徴とする。
【０００９】
請求項５に記載の発明は、ネットワークを介して携帯情報端末に接続され、商品の包装に付されたパターンコードから一意に特定される識別コードに対応づけて前記商品に関連する関連商品情報を記憶する関連商品情報記憶部と、前記関連商品情報に対応するコンテンツを記憶するコンテンツ記憶部と、を備えた商品サーバ装置の商品検索方法であって、前記識別コードを含んだ情報を前記携帯情報端末から受信する過程と、受信した前記識別コードに基づいて前記関連商品情報記憶部から前記関連商品情報を検出し、前記関連商品情報に対応する前記コンテンツが前記コンテンツ記憶部に存在するかを確認する過程と、前記関連商品情報のうち前記コンテンツが存在する前記関連商品情報を含むウェブページを生成し、前記ウェブページへの参照情報を前記携帯情報端末に送信する過程と、と備えたことを特徴する商品検索方法である。
【００１０】
請求項６に記載の発明は、ネットワークを介して携帯情報端末に接続され、商品の包装に付されたパターンコードから一意に特定される識別コードに対応づけて前記商品に関連する関連商品情報を記憶する関連商品情報記憶部と、前記関連商品情報に対応するコンテンツを記憶するコンテンツ記憶部と、を備えた商品サーバ装置のコンピュータに、前記識別コードを含んだ情報を前記携帯情報端末から受信する手順、受信した前記識別コードに基づいて前記関連商品情報記憶部から前記関連商品情報を検出し、前記関連商品情報に対応する前記コンテンツが前記コンテンツ記憶部に存在するかを確認する手順、前記関連商品情報のうち前記コンテンツが存在する前記関連商品情報を含むウェブページを生成し、前記ウェブページへの参照情報を前記携帯情報端末に送信する手順、を実行させるコンピュータプログラムである。
【発明の効果】
【００１１】
この発明によれば、商品に付されるバーコード等のパターンコードから一意に特定できる識別コードに対応付けてその商品に関連する商品情報を予め記憶している。また、その関連する商品情報に対応するコンテンツを記憶している。商品サーバ装置がユーザの携帯情報端末のカメラでパターンコード撮影することにより検出できる識別コードを携帯情報端末から受信する。当該識別コードに基づいて関連する商品情報を読み出し、コンテンツの有無を確認して、コンテンツが存在する商品情報を含むウェブページを生成し、そのウェブページへの参照情報を携帯情報端末に送信する構成となっている。そのため、ユーザは携帯情報端末のカメラで商品に付されているバーコード等を撮影し、携帯情報端末内で自動的に検出される識別コードを商品サーバ装置に送信し、関連する商品情報を自動的に検索することができる。
【００１２】
また、本発明によれば、識別コードを商品サーバ装置に送付する際に、携帯情報端末のユーザを一意に特定するユーザ識別子を送信し、それを商品サーバが受信して認証する構成となっている。そのため、予め登録されているユーザの携帯情報端末以外からのアクセスを制限することができる。
【００１３】
また、本発明によれば、商品サーバ装置が記憶しているコンテンツが携帯情報端末上で利用できるデジタルコンテンツである場合に、ユーザが携帯情報端末において関連する商品情報を受信した際に、その中から購入したい商品を選択する。そして、購入に必要な手続き情報を入力し選択した商品の情報を含む購入要求を商品サーバ装置に送信する。商品サーバ装置は、購入要求を電子決済サーバ装置に送信して購入決済の完了通知を受信した後に、選択されたデジタルコンテンツを携帯情報端末に送信する構成となっている。そのため、ユーザは、検出した関連する商品情報に対応するデジタルコンテンツをオンラインで購入し、携帯情報端末上で利用することができる。
【００１４】
また、本発明によれば、パターンコードとはバーコードであり、識別コードはパターンコードとの組み合わせで利用されるＪＡＮコードであり、バーコードが付された商品が音楽ＣＤであり、関連する商品情報がそのＣＤに含まれている複数の曲名の情報であり、コンテンツがその曲名に対応する着メロコンテンツである具体的な構成を想定している。その場合に、ユーザは携帯情報端末のカメラで音楽ＣＤのバーコードを撮影し、商品サーバ装置にバーコードから検出されるＪＡＮコードを送信するだけで、音楽ＣＤに含まれている複数の曲の着メロコンテンツの有無を検出することが可能となる。
【発明を実施するための最良の形態】
【００１５】
以下、本発明の一実施形態による商品サーバ装置を図面を参照して説明する。
図１は、この発明の一実施形態による商品サーバ装置及びそれに接続する携帯情報端末等の構成を示す概略ブロック図である。
同図において、携帯情報端末１０は例えば、カメラ付きの携帯電話端末であり、本実施形態では、音楽ＣＤ等のパッケージ５０等に付されているバーコード５１をカメラで撮影することで、１３桁のＪＡＮ（Ｊａｐａｎｅｓｅ  Ａｒｔｉｃｌｅ  Ｎｕｍｂｅｒ）コードを携帯電話端末内で検出することができる機能を備えたものである。また、ネットワーク３０は例えばインターネットであり、携帯情報端末１０はネットワーク３０を介して商品サーバ装置２０のウェブサイトに接続することができる。
【００１６】
同図の商品サーバ装置２０において、送受信部２１はネットワーク３０を介して携帯情報端末１０と情報の送受信を行う。ユーザ認証部２３は、携帯情報端末１０から受信した情報にユーザを一意に特定するユーザ識別子が予め登録されている識別子かを確認し、商品サーバ装置２０へのアクセス制限を行う。
識別コード属性記憶部２４は、識別コードに対応する商品名とその商品に関連する商品情報を予め記憶する。本実施形態では、商品を音楽ＣＤであり、関連情報はその音楽ＣＤに含まれている曲名のリストとなる。着メロコンテンツ記憶部２５は、ユーザが携帯情報端末１０において利用する着メロのコンテンツを記憶しており、着メロのコンテンツは、識別コード属性記憶部２４が記憶している曲名に関連付けられている。
【００１７】
商品検索処理部２２は、送受信部２１を介して携帯情報端末１０から識別コード及びユーザ識別子を受信し、その識別コードが示す音楽ＣＤのタイトルと当該音楽ＣＤに含まれている曲名、またはアーティスト名を識別コード属性記憶部２４から読み出す。そして、読み出した情報に対応する着メロコンテンツが存在するかを着メロコンテンツ記憶部２５を参照して確認する。着メロコンテンツが存在する場合には、存在する曲名の情報を含むウェブページを作成し、そのウェブページへのＵＲＬを携帯情報端末１０に送信する。
【００１８】
また、送受信部２１を介して携帯情報端末１０から購入する着メロコンテンツの曲名が選択された情報を受信した際には、ＥＣ（Ｅｌｅｃｔｒｏｎｉｃ  Ｃｏｍｍｅｒｃｅ）サーバ装置４０に接続して、購入決済処理を行い、決済完了後に着メロコンテンツを着メロコンテンツ記憶部２５から読み出して携帯情報端末１０に送信する。
なお、本実施形態では商品としてＣＤを、コンテンツとして着メロを想定しているが、ＪＡＮコードが付されている商品であれば同様の仕組みでオンライン購入を行うことができる。
【００１９】
また、識別コード属性記憶部２４に予め設定する関連情報は、商品サーバ装置２０の管理者が自由に設定することができ、例えば音楽ＣＤの場合には、その音楽ＣＤに含まれている曲名やアーティスト名に関連する情報、例えば、その曲名の曲が使用された映画ＤＶＤやアーティストに関連する写真集等の情報を記憶することも可能である。それによって、曲名やアーティスト名が選択された時に、関連する情報を合わせて表示することができ、さらに商品を販売する機会を増やすことができる。
また、識別コードとしてバーコードと共に用いられるＪＡＮコードを例として取り上げたが、商品に付されるコードであって、携帯情報端末１０において撮影により識別することができるＱＲ（Ｑｕｉｃｋ  Ｒｅｓｐｏｎｓｅ）コード（登録商標）などであってもよい。
【００２０】
図２は、商品サーバ装置２０の識別コード属性記憶部２４におけるデータの形式を示した図である。同図において、識別コード属性記憶部２４は、アーティスト名としてＣＤのアーティストの名前の情報を格納し、アルバム名にはＣＤのタイトルの情報を格納する。レコード会社には当該ＣＤを制作したレコード会社名の情報を格納し、価格には当該ＣＤの販売価格情報を格納している。これらの情報に加えて、ＣＤに収録されている曲数分、曲名、作詞者、作曲者、編曲者の情報を格納する。
また、作詞者、作曲者、編曲者で曲を検索し、その曲情報から、着メロを検索し、ダウンロードページを表示することも可能である。
【００２１】
図３は、商品サーバ装置２０の着メロコンテンツ記憶部２５におけるデータの形式を示した図である。着メロコンテンツ記憶部２５は、素材ＩＤ（Ｉｄｅｎｔｉｆｉｃａｔｉｏｎ）には、商品サーバ装置２０で管理するためのＩＤを格納する。曲名には着メロコンテンツに対応する曲名情報を格納している。アーティスト名には着メロコンテンツに対応するアーティストの名前の情報を格納している。そして、着メロデータには、実際に携帯情報端末１０がダウンロードして利用する着メロのデータを格納している。
【００２２】
図４は、音楽ＣＤを購入したユーザがそのＣＤに含まれている曲名リストを検索し、そしてその中から幾つかを選択して対応する着メロコンテンツを購入するまでの一連の処理を示したフローチャートである。
前提として、携帯情報端末１０のユーザは予め商品サーバ装置２０に接続できるように着メロコンテンツを扱う会社と契約を結んでおり、携帯情報端末１０を一意に特定できるＩＤを着メロコンテンツを扱う会社に登録しているものとする。
【００２３】
最初に、ユーザが携帯情報端末１０において着メロコンテンツ検索用の専用プログラムを起動する。そして、ユーザがその専用プログラムを操作し、携帯情報端末１０のカメラを用いて音楽ＣＤに付されているバーコードを撮影する。携帯情報端末１０は、識別コードを検出し（ステップＳ１）、予め記憶している商品サーバ装置２０のＵＲＬ対して識別コードとユーザＩＤ含む情報を商品サーバ装置２０へ送信する（ステップＳ２）。商品サーバ装置２０は、識別コード及びユーザＩＤを受信し（ステップＳ３）、ユーザＩＤが登録されているものに一致するかを認証する（ステップＳ４）。ユーザＩＤの認証ができた場合に、識別コードに対応するＣＤに含まれる曲名のリストを識別コード属性記憶部２４から読み出す（ステップＳ５）。
【００２４】
そして、曲名のリストに対応する着メロコンテンツが存在するかを着メロコンテンツ記憶部２５を参照して確認する（ステップＳ６）。着メロコンテンツが存在する曲名のリストを載せた購入選択用のホームページを作成し（ステップＳ７）、そのホームページを参照するＵＲＬを携帯情報端末１０に送信する（ステップＳ８）。ＵＲＬを受信した携帯情報端末１０はブラウザを起動して当該ホームページを表示する（ステップＳ９）。ユーザが購入したい着メロコンテンツを携帯情報端末１０において選択し、携帯情報端末１０が選択された着メロコンテンツを含む購入要求を商品サーバ装置２０に送信する（ステップＳ１０）。商品サーバ装置２０は、購入要求を受信し（ステップＳ１１）、商品購入画面のＵＲＬを携帯情報端末１０に送信する（ステップＳ１２）。
【００２５】
携帯情報端末１０は商品購入画面のＵＲＬを受信し（ステップＳ１３）、購入のための情報を入力し、商品サーバ装置に送信する（ステップＳ１４）。購入のための情報を受信した商品サーバ装置は、ＥＣサーバ装置４０に接続して、購入の決済を行う（ステップＳ１５）。そして、ユーザが購入を選択した着メロコンテンツを携帯情報端末１０に送信する（ステップＳ１６）。携帯情報端末１０は着メロコンテンツを受信し、内部の記憶部に記憶する（ステップＳ１７）。
なお、ステップＳ１６は、商品サーバ装置２０から送信するのではなく、携帯情報端末１０からのダウンロードが可能なように着メロコンテンツへのＵＲＬを表示するようにしてもよい。
【００２６】
図５は、ステップＳ９においてユーザの携帯情報端末において表示された画面を示した略線図である。図面に示すようにＣＤのタイトルが一番上に表示され、着メロが存在する曲名のリストがチェックボックスと共に表示される。ユーザは携帯情報端末を操作することでチェックボックスにチェックを入れて図示しない購入を選択することで購入要求をサーバ装置に送信することができる。
【００２７】
上述の商品サーバ装置は内部に、コンピュータシステムを有している。そして、上述した商品検出、表示、購入の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００２８】
【図１】本発明の一実施形態における商品サーバ装置及びそれに接続する装置を示した概略ブロック図である。
【図２】同実施形態における識別コード属性記憶部のデータの形式を示した図である。
【図３】同実施形態における着メロコンテンツ記憶部のデータの形式を示した図である。
【図４】同実施形態における関連する商品情報の検索処理と検索した商品の購入処理のフローチャートである。
【図５】同実施形態における音楽ＣＤに含まれる曲名を検索した際の携帯情報端末の画面の略線図である。
【符号の説明】
【００２９】
１０  携帯情報端末
２０  商品サーバ装置
２１  送受信部
２２  商品検索処理部
２４  識別コード属性記憶部
２５  着メロコンテンツ記憶部
３０  ネットワーク
５０  ＣＤパッケージ
５１  バーコード
【図１】
2005284689.tif 000003
【図２】
2005284689.tif 000004
【図３】
2005284689.tif 000005
【図４】
2005284689.tif 000006
【図５】
2005284689.tif 000007
【手続補正書】
【提出日】平成17年2月28日(2005.2.28)
【手続補正１】
【補正対象書類名】特許請求の範囲
【補正対象項目名】全文
【補正方法】変更
【補正の内容】
【特許請求の範囲】
【請求項１】
コード情報の撮影によりＵＲＬを生成可能な携帯端末との間でネットワークを介して通信を行う商品サーバ装置であって、
商品毎に識別コードと商品情報とを対応させて記憶する記憶手段と、
携帯端末との間で通信を行う通信手段と、
前記通信手段により前記携帯端末から前記記憶手段に記憶される商品の識別コードを含むコード情報に基づくアクセスを受け付けて前記識別コードを受信する受信手段と、
前記記憶手段を参照して前記受信手段により受信された識別コードに対応する商品情報を検出する検出手段と、
前記検出手段により検出された商品情報を含む購入画面を作成する作成手段と、
前記通信手段により前記作成手段で作成された購入画面を前記アクセス元携帯端末に送信する送信手段と、
を備えたことを特徴とする商品サーバ装置。
【請求項２】
コード情報の撮影によりＵＲＬを生成可能な携帯端末との間でネットワークを介して通信を行う商品サーバ装置であって、
商品毎に識別コードと当該商品に関する一以上の属性情報とを対応させて記憶する第１記憶手段と、
前記第１記憶手段に記憶される属性情報に対応する商品情報を記憶する第２記憶手段と、
携帯端末との間で通信を行う通信手段と、
前記通信手段により前記携帯端末から前記第１記憶手段に記憶される商品の識別コードを含むコード情報に基づくアクセスを受け付けて前記識別コードを受信する受信手段と、
前記第２記憶手段を参照して前記受信手段により受信された識別コードに対応する属性情報を検出する検出手段と、
前記検出手段により検出された属性情報を含む購入選択画面を作成する第１作成手段と、前記通信手段により、前記第１作成手段で作成された購入選択画面を前記アクセス元携帯端末に送信する第１送信手段と、
前記通信手段による前記アクセス元携帯端末との通信を通じて、前記第１送信手段で送信した購入選択画面に対する属性情報の選択操作を受け付け、前記第２記憶手段を参照して当該選択された属性情報に対応する商品情報の購入画面を作成する第２作成手段と、
前記通信手段により、前記第２作成手段で作成された購入画面を前記アクセス元携帯端末に送信する第２送信手段と、
を備えたことを特徴とする商品サーバ装置。
【請求項３】
前記第１作成手段は、属性情報を選択可能なリンク形式の購入選択画面を作成することを特徴とする請求項２に記載の商品サーバ装置。
【請求項４】
コード情報の撮影によりＵＲＬを生成可能な携帯端末との間でネットワークを介して通信を行う商品サーバ装置であって、
商品であるＣＤのアルバム毎に識別コードと当該商品に収録されている一以上の曲名情報とを対応させて記憶する識別コード属性記憶手段と、
前記識別コード属性記憶手段に記憶される曲名情報に対応する着信メロディ情報を記憶するコンテンツ記憶手段と、
携帯端末との間で通信を行う通信手段と、
前記通信手段により前記携帯端末から前記識別コード属性記憶手段に記憶される商品の識別コードを含むコード情報に基づくアクセスを受け付けて前記識別コードを受信する受信手段と、
前記コンテンツ記憶手段を参照して前記受信手段により受信された識別コードに対応する曲名情報を検出する検出手段と、
前記検出手段により検出された曲名情報を含む購入選択画面を作成する第１作成手段と、前記通信手段により、前記第１作成手段で作成された購入選択画面を前記アクセス元携帯端末に送信する第１送信手段と、
前記通信手段による前記アクセス元携帯端末との通信を通じて、前記第１送信手段で送信した購入選択画面に対する曲名情報の選択操作を受け付け、前記コンテンツ記憶手段を参照して当該選択された曲名情報に対応する着信メロディ情報の購入画面を作成する第２作成手段と、
前記通信手段により、前記第２作成手段で作成された購入画面を前記アクセス元携帯端末に送信する第２送信手段と、
を備えたことを特徴とする商品サーバ装置。
【請求項５】
前記第１作成手段は、曲名情報を選択可能なリンク形式の購入選択画面を作成することを特徴とする請求項４に記載の商品サーバ装置。
【請求項６】
コード情報の撮影によりＵＲＬを生成可能な携帯端末との間でネットワークを介して通信を行う商品サーバ装置の商品検索方法であって、
商品毎に識別コードと商品情報とを対応させてメモリに記憶しており、携帯端末から前記メモリに記憶される商品の識別コードを含むコード情報に基づくアクセスを受け付けて前記識別コードを受信する第１ステップと、
前記メモリを参照して前記第１ステップにより受信された識別コードに対応する商品情報を検出する第２ステップと、
前記第２ステップにより検出された商品情報を含む購入画面を作成し、当該作成された購入画面を前記アクセス元携帯端末に送信する第３ステップと、
を含んだことを特徴とする商品検索方法。
【請求項７】
コード情報の撮影によりＵＲＬを生成可能な携帯端末との間でネットワークを介して通信を行う商品サーバ装置の商品検索方法であって、
商品毎に識別コードと当該商品に関する一以上の属性情報とを第１メモリに対応させて記憶し、前記第１メモリに記憶される属性情報に対応する商品情報を第２メモリに記憶しており、前記携帯端末から前記第１メモリに記憶される商品の識別コードを含むコード情報に基づくアクセスを受け付けて前記識別コードを受信する第１ステップと、
前記第２メモリを参照して前記第１ステップにより受信された識別コードに対応する属性情報を検出する第２ステップと、
前記第２ステップにより検出された属性情報を含む購入選択画面を作成し、当該作成された購入選択画面を前記アクセス元携帯端末に送信する第３ステップと、
前記第３ステップで送信した購入選択画面に対する属性情報の選択操作を受け付け、前記第２メモリを参照して当該選択された属性情報に対応する商品情報の購入画面を作成し、当該作成された購入画面を前記アクセス元携帯端末に送信する第４ステップと、
を含んだことを特徴とする商品検索方法。
【請求項８】
前記第３ステップは、属性情報を選択可能なリンク形式の購入選択画面を作成することを特徴とする請求項７に記載の商品検索方法。
【請求項９】
コード情報の撮影によりＵＲＬを生成可能な携帯端末との間でネットワークを介して通信を行う商品サーバ装置の商品検索方法であって、
商品であるＣＤのアルバム毎に識別コードと当該商品に収録されている一以上の曲名情報とを対応させて識別コード属性記憶部に記憶し、前記識別コード属性記憶部に記憶される曲名情報に対応する着信メロディ情報をコンテンツ記憶部に記憶しており、前記識別コード属性記憶部に記憶される商品の識別コードを含むコード情報に基づくアクセスを受け付けて前記識別コードを受信する第１ステップと、
前記コンテンツ記憶部を参照して前記第１ステップにより受信された識別コードに対応する曲名情報を検出する第２ステップと、
前記第２ステップにより検出された曲名情報を含む購入選択画面を作成し、当該作成された購入選択画面を前記アクセス元携帯端末に送信する第３ステップと、
前記第３ステップで送信した購入選択画面に対する曲名情報の選択操作を受け付け、前記コンテンツ記憶部を参照して当該選択された曲名情報に対応する着信メロディ情報の購入画面を作成し、当該作成された購入画面を前記アクセス元携帯端末に送信する第４ステップと、
を含んだことを特徴とする商品検索方法。
【請求項１０】
前記第３ステップは、曲名情報を選択可能なリンク形式の購入選択画面を作成することを特徴とする請求項９に記載の商品検索方法。
【請求項１１】
コード情報の撮影によりＵＲＬを生成可能な携帯端末との間でネットワークを介して通信を行う商品サーバ装置のコンピュータにより実行可能なコンピュータプログラムであって、
前記コンピュータに、
商品毎に識別コードと商品情報とを対応させてメモリに記憶しており、携帯端末から前記メモリに記憶される商品の識別コードを含むコード情報に基づくアクセスを受け付けて前記識別コードを受信する第１ステップと、
前記メモリを参照して前記第１ステップにより受信された識別コードに対応する商品情報を検出する第２ステップと、
前記第２ステップにより検出された商品情報を含む購入画面を作成し、当該作成された購入画面を前記アクセス元携帯端末に送信する第３ステップと、
を実行させることを特徴とするコンピュータプログラム。
【請求項１２】
コード情報の撮影によりＵＲＬを生成可能な携帯端末との間でネットワークを介して通信を行う商品サーバ装置のコンピュータにより実行可能なコンピュータプログラムであって、
前記コンピュータに、
商品毎に識別コードと当該商品に関する一以上の属性情報とを第１メモリに対応させて記憶し、前記第１メモリに記憶される属性情報に対応する商品情報を第２メモリに記憶しており、前記携帯端末から前記第１メモリに記憶される商品の識別コードを含むコード情報に基づくアクセスを受け付けて前記識別コードを受信する第１ステップと、
前記第２メモリを参照して前記第１ステップにより受信された識別コードに対応する属性情報を検出する第２ステップと、
前記第２ステップにより検出された属性情報を含む購入選択画面を作成し、当該作成された購入選択画面を前記アクセス元携帯端末に送信する第３ステップと、
前記第３ステップで送信した購入選択画面に対する属性情報の選択操作を受け付け、前記第２メモリを参照して当該選択された属性情報に対応する商品情報の購入画面を作成し、当該作成された購入画面を前記アクセス元携帯端末に送信する第４ステップと、
を実行させることを特徴とするコンピュータプログラム。
【請求項１３】
前記第３ステップは、属性情報を選択可能なリンク形式の購入選択画面を作成することを特徴とする請求項１２に記載のコンピュータプログラム。
【請求項１４】
コード情報の撮影によりＵＲＬを生成可能な携帯端末との間でネットワークを介して通信を行う商品サーバ装置のコンピュータにより実行可能なコンピュータプログラムであって、
前記コンピュータに、
商品であるＣＤのアルバム毎に識別コードと当該商品に収録されている一以上の曲名情報とを対応させて識別コード属性記憶部に記憶し、前記識別コード属性記憶部に記憶される曲名情報に対応する着信メロディ情報をコンテンツ記憶部に記憶しており、前記識別コード属性記憶部に記憶される商品の識別コードを含むコード情報に基づくアクセスを受け付けて前記識別コードを受信する第１ステップと、
前記コンテンツ記憶部を参照して前記第１ステップにより受信された識別コードに対応する曲名情報を検出する第２ステップと、
前記第２ステップにより検出された曲名情報を含む購入選択画面を作成し、当該作成された購入選択画面を前記アクセス元携帯端末に送信する第３ステップと、
前記第３ステップで送信した購入選択画面に対する曲名情報の選択操作を受け付け、前記コンテンツ記憶部を参照して当該選択された曲名情報に対応する着信メロディ情報の購入画面を作成し、当該作成された購入画面を前記アクセス元携帯端末に送信する第４ステップと、
を実行させることを特徴とするコンピュータプログラム。
【請求項１５】
前記第３ステップは、曲名情報を選択可能なリンク形式の購入選択画面を作成することを特徴とする請求項１４に記載のコンピュータプログラム。
【手続補正２】
【補正対象書類名】明細書
【補正対象項目名】全文
【補正方法】変更
【補正の内容】
【発明の詳細な説明】
【技術分野】
【０００１】
本発明は、商品情報の検索及び購入決済処理を行う商品サーバ装置及び商品検索方法並
びにそのコンピュータプログラムに関する。
【背景技術】
【０００２】
従来、携帯電話端末で利用される着信メロディ（以下、着メロという。）の入手手段としては、インターネットに接続するサーバにおいて提供される着信メロサイトに携帯電話端末から移動体通信網を介して接続し、その着メロを検出してダウンロードするという手段が一般的である。携帯電話端末の場合には、パーソナルコンピュータのキーボードのように簡単に文字入力することが困難なので、例えばアーティスト名、曲名などの先頭文字を頼りに絞り込む検索手段が用いられている。
しかし、このような手段においても所望の着メロをダウンロード要求するページまで到
達するには多くの操作が必要である。このような多くの操作を省くために、音楽のＣＤ（
Ｃｏｍｐａｃｔ  Ｄｉｓｃ）等の包装に付されている識別コードをユーザが携帯電話端末
において入力し、予めサーバが記憶している識別コードに対応する着メロダウンロードサ
イトのＵＲＬを携帯電話端末に応答する手段が提案されている。（例えば、特許文献１参
照）。
【特許文献１】特開２００２−１４２０４４号公報
【発明の開示】
【発明が解決しようとする課題】
【０００３】
しかしながら、特許文献１に示す手段においては、１つの識別コードと１つの着メロの
コンテンツを対応付けているだけで、例えば、１つの音楽ＣＤに複数の楽曲を含む場合を
考慮していないという問題がある。
【０００４】
本発明は、上記問題を解決すべくなされたもので、その目的は、１つの音楽ＣＤに複数
の楽曲が含まれる場合においてもそれぞれの着メロコンテンツを自動的に検索することが
できる商品サーバ装置を提供することにある。
【課題を解決するための手段】
【０００５】
上述した課題を解決するために、請求項１に記載の発明は、コード情報の撮影によりＵＲＬを生成可能な携帯端末との間でネットワークを介して通信を行う商品サーバ装置であって、商品毎に識別コードと商品情報とを対応させて記憶する記憶手段と、携帯端末との間で通信を行う通信手段と、前記通信手段により前記携帯端末から前記記憶手段に記憶される商品の識別コードを含むコード情報に基づくアクセスを受け付けて前記識別コードを受信する受信手段と、前記記憶手段を参照して前記受信手段により受信された識別コードに対応する商品情報を検出する検出手段と、前記検出手段により検出された商品情報を含む購入画面を作成する作成手段と、前記通信手段により前記作成手段で作成された購入画面を前記アクセス元携帯端末に送信する送信手段と、を備えたことを特徴とするものである。
【０００６】
請求項２記載の発明は、コード情報の撮影によりＵＲＬを生成可能な携帯端末との間でネットワークを介して通信を行う商品サーバ装置であって、商品毎に識別コードと当該商品に関する一以上の属性情報とを対応させて記憶する第１記憶手段と、前記第１記憶手段に記憶される属性情報に対応する商品情報を記憶する第２記憶手段と、携帯端末との間で通信を行う通信手段と、前記通信手段により前記携帯端末から前記第１記憶手段に記憶される商品の識別コードを含むコード情報に基づくアクセスを受け付けて前記識別コードを受信する受信手段と、前記第２記憶手段を参照して前記受信手段により受信された識別コードに対応する属性情報を検出する検出手段と、前記検出手段により検出された属性情報を含む購入選択画面を作成する第１作成手段と、前記通信手段により、前記第１作成手段で作成された購入選択画面を前記アクセス元携帯端末に送信する第１送信手段と、前記通信手段による前記アクセス元携帯端末との通信を通じて、前記第１送信手段で送信した購入選択画面に対する属性情報の選択操作を受け付け、前記第２記憶手段を参照して当該選択された属性情報に対応する商品情報の購入画面を作成する第２作成手段と、前記通信手段により、前記第２作成手段で作成された購入画面を前記アクセス元携帯端末に送信する第２送信手段と、を備えたことを特徴とするものである。
【０００７】
請求項３に記載の発明は、請求項２に記載の発明において、前記第１作成手段は、属性情報を選択可能なリンク形式の購入選択画面を作成するようにしたことを特徴とするものである。
【０００８】
請求項４に記載の発明は、コード情報の撮影によりＵＲＬを生成可能な携帯端末との間でネットワークを介して通信を行う商品サーバ装置であって、商品であるＣＤのアルバム毎に識別コードと当該商品に収録されている一以上の曲名情報とを対応させて記憶する識別コード属性記憶手段と、前記識別コード属性記憶手段に記憶される曲名情報に対応する着信メロディ情報を記憶するコンテンツ記憶手段と、携帯端末との間で通信を行う通信手段と、前記通信手段により前記携帯端末から前記識別コード属性記憶手段に記憶される商品の識別コードを含むコード情報に基づくアクセスを受け付けて前記識別コードを受信する受信手段と、前記コンテンツ記憶手段を参照して前記受信手段により受信された識別コードに対応する曲名情報を検出する検出手段と、前記検出手段により検出された曲名情報を含む購入選択画面を作成する第１作成手段と、前記通信手段により、前記第１作成手段で作成された購入選択画面を前記アクセス元携帯端末に送信する第１送信手段と、前記通信手段による前記アクセス元携帯端末との通信を通じて、前記第１送信手段で送信した購入選択画面に対する曲名情報の選択操作を受け付け、前記コンテンツ記憶手段を参照して当該選択された曲名情報に対応する着信メロディ情報の購入画面を作成する第２作成手段と、前記通信手段により、前記第２作成手段で作成された購入画面を前記アクセス元携帯端末に送信する第２送信手段と、を備えたことを特徴とするものである。
【０００９】
請求項５に記載の発明は、請求項４に記載の発明において、前記第１作成手段は、曲名情報を選択可能なリンク形式の購入選択画面を作成するようにしたものである。
【００１０】
請求項６に記載の発明は、コード情報の撮影によりＵＲＬを生成可能な携帯端末との間でネットワークを介して通信を行う商品サーバ装置の商品検索方法であって、商品毎に識別コードと商品情報とを対応させてメモリに記憶しており、携帯端末から前記メモリに記憶される商品の識別コードを含むコード情報に基づくアクセスを受け付けて前記識別コードを受信する第１ステップと、前記メモリを参照して前記第１ステップにより受信された識別コードに対応する商品情報を検出する第２ステップと、前記第２ステップにより検出された商品情報を含む購入画面を作成し、当該作成された購入画面を前記アクセス元携帯端末に送信する第３ステップと、を含んだことを特徴とするものである。
【００１１】
請求項７に記載の発明は、コード情報の撮影によりＵＲＬを生成可能な携帯端末との間でネットワークを介して通信を行う商品サーバ装置の商品検索方法であって、商品毎に識別コードと当該商品に関する一以上の属性情報とを第１メモリに対応させて記憶し、前記第１メモリに記憶される属性情報に対応する商品情報を第２メモリに記憶しており、前記携帯端末から前記第１メモリに記憶される商品の識別コードを含むコード情報に基づくアクセスを受け付けて前記識別コードを受信する第１ステップと、前記第２メモリを参照して前記第１ステップにより受信された識別コードに対応する属性情報を検出する第２ステップと、前記第２ステップにより検出された属性情報を含む購入選択画面を作成し、当該作成された購入選択画面を前記アクセス元携帯端末に送信する第３ステップと、前記第３ステップで送信した購入選択画面に対する属性情報の選択操作を受け付け、前記第２メモリを参照して当該選択された属性情報に対応する商品情報の購入画面を作成し、当該作成された購入画面を前記アクセス元携帯端末に送信する第４ステップと、を含んだことを特徴とするものである。
【００１２】
請求項８に記載の発明は、請求項７に記載の発明において、前記第３ステップは、属性情報を選択可能なリンク形式の購入選択画面を作成するようにしたものである。
【００１３】
請求項９に記載の発明は、コード情報の撮影によりＵＲＬを生成可能な携帯端末との間でネットワークを介して通信を行う商品サーバ装置の商品検索方法であって、商品であるＣＤのアルバム毎に識別コードと当該商品に収録されている一以上の曲名情報とを対応させて識別コード属性記憶部に記憶し、前記識別コード属性記憶部に記憶される曲名情報に対応する着信メロディ情報をコンテンツ記憶部に記憶しており、前記識別コード属性記憶部に記憶される商品の識別コードを含むコード情報に基づくアクセスを受け付けて前記識別コードを受信する第１ステップと、前記コンテンツ記憶部を参照して前記第１ステップにより受信された識別コードに対応する曲名情報を検出する第２ステップと、前記第２ステップにより検出された曲名情報を含む購入選択画面を作成し、当該作成された購入選択画面を前記アクセス元携帯端末に送信する第３ステップと、前記第３ステップで送信した購入選択画面に対する曲名情報の選択操作を受け付け、前記コンテンツ記憶部を参照して当該選択された曲名情報に対応する着信メロディ情報の購入画面を作成し、当該作成された購入画面を前記アクセス元携帯端末に送信する第４ステップと、を含んだことを特徴とするものである。
【００１４】
請求項１０に記載の発明は、請求項９記載の発明において、前記第３ステップは、曲名情報を選択可能なリンク形式の購入選択画面を作成するようにしたものである。
【００１５】
請求項１１に記載の発明は、コード情報の撮影によりＵＲＬを生成可能な携帯端末との間でネットワークを介して通信を行う商品サーバ装置のコンピュータにより実行可能なコンピュータプログラムであって、前記コンピュータに、商品毎に識別コードと商品情報とを対応させてメモリに記憶しており、携帯端末から前記メモリに記憶される商品の識別コードを含むコード情報に基づくアクセスを受け付けて前記識別コードを受信する第１ステップと、前記メモリを参照して前記第１ステップにより受信された識別コードに対応する商品情報を検出する第２ステップと、前記第２ステップにより検出された商品情報を含む購入画面を作成し、当該作成された購入画面を前記アクセス元携帯端末に送信する第３ステップと、を実行させることを特徴とするものである。
【００１６】
請求項１２に記載の発明は、コード情報の撮影によりＵＲＬを生成可能な携帯端末との間でネットワークを介して通信を行う商品サーバ装置のコンピュータにより実行可能なコンピュータプログラムであって、前記コンピュータに、商品毎に識別コードと当該商品に関する一以上の属性情報とを第１メモリに対応させて記憶し、前記第１メモリに記憶される属性情報に対応する商品情報を第２メモリに記憶しており、前記携帯端末から前記第１メモリに記憶される商品の識別コードを含むコード情報に基づくアクセスを受け付けて前記識別コードを受信する第１ステップと、前記第２メモリを参照して前記第１ステップにより受信された識別コードに対応する属性情報を検出する第２ステップと、前記第２ステップにより検出された属性情報を含む購入選択画面を作成し、当該作成された購入選択画面を前記アクセス元携帯端末に送信する第３ステップと、前記第３ステップで送信した購入選択画面に対する属性情報の選択操作を受け付け、前記第２メモリを参照して当該選択された属性情報に対応する商品情報の購入画面を作成し、当該作成された購入画面を前記アクセス元携帯端末に送信する第４ステップと、を実行させることを特徴とするものである。
【００１７】
請求項１３に記載の発明は、請求項１２に記載の発明において、前記第３ステップは、属性情報を選択可能なリンク形式の購入選択画面を作成するようにしたものである。
【００１８】
請求項１４に記載の発明は、コード情報の撮影によりＵＲＬを生成可能な携帯端末との間でネットワークを介して通信を行う商品サーバ装置のコンピュータにより実行可能なコンピュータプログラムであって、前記コンピュータに、商品であるＣＤのアルバム毎に識別コードと当該商品に収録されている一以上の曲名情報とを対応させて識別コード属性記憶部に記憶し、前記識別コード属性記憶部に記憶される曲名情報に対応する着信メロディ情報をコンテンツ記憶部に記憶しており、前記識別コード属性記憶部に記憶される商品の識別コードを含むコード情報に基づくアクセスを受け付けて前記識別コードを受信する第１ステップと、前記コンテンツ記憶部を参照して前記第１ステップにより受信された識別コードに対応する曲名情報を検出する第２ステップと、前記第２ステップにより検出された曲名情報を含む購入選択画面を作成し、当該作成された購入選択画面を前記アクセス元携帯端末に送信する第３ステップと、前記第３ステップで送信した購入選択画面に対する曲名情報の選択操作を受け付け、前記コンテンツ記憶部を参照して当該選択された曲名情報に対応する着信メロディ情報の購入画面を作成し、当該作成された購入画面を前記アクセス元携帯端末に送信する第４ステップと、を実行させることを特徴とするものである。
【００１９】
請求項１５に記載の発明は、請求項１４に記載の発明において、前記第３ステップは、曲名情報を選択可能なリンク形式の購入選択画面を作成するようにしたものである。
【発明の効果】
【００２０】
この発明によれば、商品に付されるバーコード等のパターンコードから一意に特定でき
る識別コードに対応付けてその商品に関連する商品情報を予め記憶している。また、その
関連する商品情報に対応するコンテンツを記憶している。商品サーバ装置がユーザの携帯
情報端末のカメラでパターンコード撮影することにより検出できる識別コードを携帯情報
端末から受信する。当該識別コードに基づいて関連する商品情報を読み出し、コンテンツ
の有無を確認して、コンテンツが存在する商品情報を含むウェブページを生成し、そのウ
ェブページへの参照情報を携帯情報端末に送信する構成となっている。そのため、ユーザ
は携帯情報端末のカメラで商品に付されているバーコード等を撮影し、携帯情報端末内で
自動的に検出される識別コードを商品サーバ装置に送信し、関連する商品情報を自動的に
検索することができる。
【００２１】
また、本発明によれば、識別コードを商品サーバ装置に送付する際に、携帯情報端末の
ユーザを一意に特定するユーザ識別子を送信し、それを商品サーバが受信して認証する構
成となっている。そのため、予め登録されているユーザの携帯情報端末以外からのアクセ
スを制限することができる。
【００２２】
また、本発明によれば、商品サーバ装置が記憶しているコンテンツが携帯情報端末上で
利用できるデジタルコンテンツである場合に、ユーザが携帯情報端末において関連する商
品情報を受信した際に、その中から購入したい商品を選択する。そして、購入に必要な手
続き情報を入力し選択した商品の情報を含む購入要求を商品サーバ装置に送信する。商品
サーバ装置は、購入要求を電子決済サーバ装置に送信して購入決済の完了通知を受信した
後に、選択されたデジタルコンテンツを携帯情報端末に送信する構成となっている。その
ため、ユーザは、検出した関連する商品情報に対応するデジタルコンテンツをオンライン
で購入し、携帯情報端末上で利用することができる。
【００２３】
また、本発明によれば、パターンコードとはバーコードであり、識別コードはパターン
コードとの組み合わせで利用されるＪＡＮコードであり、バーコードが付された商品が音
楽ＣＤであり、関連する商品情報がそのＣＤに含まれている複数の曲名の情報であり、コ
ンテンツがその曲名に対応する着メロコンテンツである具体的な構成を想定している。そ
の場合に、ユーザは携帯情報端末のカメラで音楽ＣＤのバーコードを撮影し、商品サーバ
装置にバーコードから検出されるＪＡＮコードを送信するだけで、音楽ＣＤに含まれてい
る複数の曲の着メロコンテンツの有無を検出することが可能となる。
【発明を実施するための最良の形態】
【００２４】
以下、本発明の一実施形態による商品サーバ装置を図面を参照して説明する。
図１は、この発明の一実施形態による商品サーバ装置及びそれに接続する携帯情報端末
等の構成を示す概略ブロック図である。
同図において、携帯情報端末１０は例えば、カメラ付きの携帯電話端末であり、本実施
形態では、音楽ＣＤ等のパッケージ５０等に付されているバーコード５１をカメラで撮影
することで、１３桁のＪＡＮ（Ｊａｐａｎｅｓｅ  Ａｒｔｉｃｌｅ  Ｎｕｍｂｅｒ）コー
ドを携帯電話端末内で検出することができる機能を備えたものである。また、ネットワー
ク３０は例えばインターネットであり、携帯情報端末１０はネットワーク３０を介して商
品サーバ装置２０のウェブサイトに接続することができる。
【００２５】
同図の商品サーバ装置２０において、送受信部２１はネットワーク３０を介して携帯情
報端末１０と情報の送受信を行う。ユーザ認証部２３は、携帯情報端末１０から受信した
情報にユーザを一意に特定するユーザ識別子が予め登録されている識別子かを確認し、商
品サーバ装置２０へのアクセス制限を行う。
識別コード属性記憶部２４は、識別コードに対応する商品名とその商品に関連する商品
情報を予め記憶する。本実施形態では、商品は音楽ＣＤであり、関連情報はその音楽ＣＤ
に含まれている曲名のリストとなる。着メロコンテンツ記憶部２５は、ユーザが携帯情報
端末１０において利用する着メロのコンテンツを記憶しており、着メロのコンテンツは、
識別コード属性記憶部２４が記憶している曲名に関連付けられている。
【００２６】
商品検索処理部２２は、送受信部２１を介して携帯情報端末１０から識別コード及びユ
ーザ識別子を受信し、その識別コードが示す音楽ＣＤのタイトルと当該音楽ＣＤに含まれ
ている曲名、またはアーティスト名を識別コード属性記憶部２４から読み出す。そして、
読み出した情報に対応する着メロコンテンツが存在するかを着メロコンテンツ記憶部２５
を参照して確認する。着メロコンテンツが存在する場合には、存在する曲名の情報を含む
ウェブページを作成し、そのウェブページへのＵＲＬを携帯情報端末１０に送信する。
【００２７】
また、送受信部２１を介して携帯情報端末１０から購入する着メロコンテンツの曲名が
選択された情報を受信した際には、ＥＣ（Ｅｌｅｃｔｒｏｎｉｃ  Ｃｏｍｍｅｒｃｅ）サ
ーバ装置４０に接続して、購入決済処理を行い、決済完了後に着メロコンテンツを着メロ
コンテンツ記憶部２５から読み出して携帯情報端末１０に送信する。
なお、本実施形態では商品としてＣＤを、コンテンツとして着メロを想定しているが、
ＪＡＮコードが付されている商品であれば同様の仕組みでオンライン購入を行うことがで
きる。
【００２８】
また、識別コード属性記憶部２４に予め設定する関連情報は、商品サーバ装置２０の管
理者が自由に設定することができ、例えば音楽ＣＤの場合には、その音楽ＣＤに含まれて
いる曲名やアーティスト名に関連する情報、例えば、その曲名の曲が使用された映画ＤＶ
Ｄやアーティストに関連する写真集等の情報を記憶することも可能である。それによって
、曲名やアーティスト名が選択された時に、関連する情報を合わせて表示することができ
、さらに商品を販売する機会を増やすことができる。
また、識別コードとしてバーコードと共に用いられるＪＡＮコードを例として取り上げ
たが、商品に付されるコードであって、携帯情報端末１０において撮影により識別するこ
とができるＱＲ（Ｑｕｉｃｋ  Ｒｅｓｐｏｎｓｅ）コード（登録商標）などであってもよ
い。
【００２９】
図２は、商品サーバ装置２０の識別コード属性記憶部２４におけるデータの形式を示し
た図である。同図において、識別コード属性記憶部２４は、アーティスト名としてＣＤの
アーティストの名前の情報を格納し、アルバム名にはＣＤのタイトルの情報を格納する。
レコード会社には当該ＣＤを制作したレコード会社名の情報を格納し、価格には当該ＣＤ
の販売価格情報を格納している。これらの情報に加えて、ＣＤに収録されている曲数分、
曲名、作詞者、作曲者、編曲者の情報を格納する。
また、作詞者、作曲者、編曲者で曲を検索し、その曲情報から、着メロを検索し、ダウ
ンロードページを表示することも可能である。
【００３０】
図３は、商品サーバ装置２０の着メロコンテンツ記憶部２５におけるデータの形式を示
した図である。着メロコンテンツ記憶部２５は、素材ＩＤ（Ｉｄｅｎｔｉｆｉｃａｔｉｏ
ｎ）には、商品サーバ装置２０で管理するためのＩＤを格納する。曲名には着メロコンテ
ンツに対応する曲名情報を格納している。アーティスト名には着メロコンテンツに対応す
るアーティストの名前の情報を格納している。そして、着メロデータには、実際に携帯情
報端末１０がダウンロードして利用する着メロのデータを格納している。
【００３１】
図４は、音楽ＣＤを購入したユーザがそのＣＤに含まれている曲名リストを検索し、そ
してその中から幾つかを選択して対応する着メロコンテンツを購入するまでの一連の処理
を示したフローチャートである。
前提として、携帯情報端末１０のユーザは予め商品サーバ装置２０に接続できるように
着メロコンテンツを扱う会社と契約を結んでおり、携帯情報端末１０を一意に特定できる
ＩＤを着メロコンテンツを扱う会社に登録しているものとする。
【００３２】
最初に、ユーザが携帯情報端末１０において着メロコンテンツ検索用の専用プログラム
を起動する。そして、ユーザがその専用プログラムを操作し、携帯情報端末１０のカメラ
を用いて音楽ＣＤに付されているバーコードを撮影する。携帯情報端末１０は、識別コー
ドを検出し（ステップＳ１）、予め記憶している商品サーバ装置２０のＵＲＬ対して識別
コードとユーザＩＤ含む情報を商品サーバ装置２０へ送信する（ステップＳ２）。商品サ
ーバ装置２０は、識別コード及びユーザＩＤを受信し（ステップＳ３）、ユーザＩＤが登
録されているものに一致するかを認証する（ステップＳ４）。ユーザＩＤの認証ができた
場合に、識別コードに対応するＣＤに含まれる曲名のリストを識別コード属性記憶部２４
から読み出す（ステップＳ５）。
【００３３】
そして、曲名のリストに対応する着メロコンテンツが存在するかを着メロコンテンツ記
憶部２５を参照して確認する（ステップＳ６）。着メロコンテンツが存在する曲名のリス
トを載せた購入選択用のホームページを作成し（ステップＳ７）、そのホームページを参
照するＵＲＬを携帯情報端末１０に送信する（ステップＳ８）。ＵＲＬを受信した携帯情
報端末１０はブラウザを起動して当該ホームページを表示する（ステップＳ９）。ユーザ
が購入したい着メロコンテンツを携帯情報端末１０において選択し、携帯情報端末１０が
選択された着メロコンテンツを含む購入要求を商品サーバ装置２０に送信する（ステップ
Ｓ１０）。商品サーバ装置２０は、購入要求を受信し（ステップＳ１１）、商品購入画面
のＵＲＬを携帯情報端末１０に送信する（ステップＳ１２）。
【００３４】
携帯情報端末１０は商品購入画面のＵＲＬを受信し（ステップＳ１３）、購入のための
情報を入力し、商品サーバ装置に送信する（ステップＳ１４）。購入のための情報を受信
した商品サーバ装置は、ＥＣサーバ装置４０に接続して、購入の決済を行う（ステップＳ
１５）。そして、ユーザが購入を選択した着メロコンテンツを携帯情報端末１０に送信す
る（ステップＳ１６）。携帯情報端末１０は着メロコンテンツを受信し、内部の記憶部に
記憶する（ステップＳ１７）。
なお、ステップＳ１６は、商品サーバ装置２０から送信するのではなく、携帯情報端末
１０からのダウンロードが可能なように着メロコンテンツへのＵＲＬを表示するようにし
てもよい。
【００３５】
図５は、ステップＳ９においてユーザの携帯情報端末において表示された画面を示した
略線図である。図面に示すようにＣＤのタイトルが一番上に表示され、着メロが存在する
曲名のリストがチェックボックスと共に表示される。ユーザは携帯情報端末を操作するこ
とでチェックボックスにチェックを入れて図示しない購入を選択することで購入要求をサ
ーバ装置に送信することができる。
【００３６】
上述の商品サーバ装置は内部に、コンピュータシステムを有している。そして、上述し
た商品検出、表示、購入の過程は、プログラムの形式でコンピュータ読み取り可能な記録
媒体に記憶されており、このプログラムをコンピュータが読み出して実行することによっ
て、上記処理が行われる。ここでコンピュータ読み取り可能な記録媒体とは、磁気ディス
ク、光磁気ディスク、ＣＤ−ＲＯＭ、ＤＶＤ−ＲＯＭ、半導体メモリ等をいう。また、こ
のコンピュータプログラムを通信回線によってコンピュータに配信し、この配信を受けた
コンピュータが当該プログラムを実行するようにしても良い。
【図面の簡単な説明】
【００３７】
【図１】本発明の一実施形態における商品サーバ装置及びそれに接続する装置を示した概略ブロック図である。
【図２】同実施形態における識別コード属性記憶部のデータの形式を示した図である。
【図３】同実施形態における着メロコンテンツ記憶部のデータの形式を示した図である。
【図４】同実施形態における関連する商品情報の検索処理と検索した商品の購入処理のフローチャートである。
【図５】同実施形態における音楽ＣＤに含まれる曲名を検索した際の携帯情報端末の画面の略線図である。
【符号の説明】
【００３８】
１０  携帯情報端末
２０  商品サーバ装置
２１  送受信部
２２  商品検索処理部
２４  識別コード属性記憶部
２５  着メロコンテンツ記憶部
３０  ネットワーク
５０  ＣＤパッケージ
５１  バーコード
【手続補正書】
【提出日】平成17年7月20日(2005.7.20)
【手続補正１】
【補正対象書類名】特許請求の範囲
【補正対象項目名】全文
【補正方法】変更
【補正の内容】
【特許請求の範囲】
【請求項１】
商品に付されたパターンコードを撮影することにより当該商品の識別コードを取得可能なカメラ付き携帯情報端末との間でネットワークを介して通信を行う商品サーバ装置であって、  
商品毎に識別コードと、当該商品に関する一つ以上の属性情報とを対応付けて記憶する第１の記憶手段と、
属性情報とコンテンツ情報とを対応付けて記憶する第２の記憶手段と、
携帯情報端末からアクセスを受け付けて識別コードを受信する受信手段と、
前記携帯情報端末から受信した識別コードに対応する属性情報を第１の記憶手段を参照して検索する検索手段と、
前記検索手段で検索された属性情報に対応するコンテンツ情報が第２の記憶手段に存在するかを確認する確認手段と、
前記確認手段でコンテンツ情報の存在が確認された属性情報からコンテンツの購入画面を作成する作成手段と、
前記購入画面を前記携帯情報端末に送信する送信手段と、
を備えたことを特徴とする商品サーバ装置。
【請求項２】
商品に付されたパターンコードを撮影することにより当該商品の識別コードを取得可能なカメラ付き携帯情報端末との間でネットワークを介して通信を行う商品サーバ装置であって、
商品毎に識別コードと、当該商品に関する一つ以上の属性情報とを対応付けて記憶する第１の記憶手段と、
属性情報とコンテンツ情報とを対応付けて記憶する第２の記憶手段と、
携帯情報端末からアクセスを受け付けて識別コードを受信する受信手段と、
前記携帯情報端末から受信した識別コードに対応する属性情報を第１の記憶手段を参照して検索する検索手段と、
前記検索手段で検索された属性情報に対応するコンテンツ情報が第２の記憶手段に存在するかを確認する確認手段と、
前記確認手段でコンテンツ情報の存在が確認された属性情報からコンテンツの購入選択画面を作成する第１の作成手段と、
前記購入選択画面を前記携帯情報端末に送信する第１の送信手段と、
前記携帯情報端末から、前記第１の送信手段で送信した購入選択画面に対するコンテンツの選択操作を受け付け、選択されたコンテンツの購入画面を作成する第２の作成手段と、
前記購入画面を前記携帯情報端末に送信する第２の送信手段と、
を備えたことを特徴とする商品サーバ装置。
【請求項３】
ＣＤアルバムに付されたパターンコードを撮影することにより当該ＣＤアルバムの識別コードを取得可能なカメラ付き携帯情報端末との間でネットワークを介して通信を行う商品サーバ装置であって、
商品であるＣＤアルバム毎に識別コードと、当該ＣＤアルバムに収録されている曲名情報とを対応付けて記憶する第１の記憶手段と、
曲名情報と着信メロディ情報とを対応付けて記憶する第２の記憶手段と、
携帯情報端末からアクセスを受け付けて識別コードを受信する受信手段と、
前記携帯情報端末から受信した識別コードに対応する曲名情報を第１の記憶手段を参照して検索する検索手段と、
前記検索手段で検索された曲名情報に対応する着信メロディ情報が第２の記憶手段に存在するかを確認する確認手段と、
前記確認手段で着信メロディ情報の存在が確認された曲名情報を表示する購入選択画面を作成する第１の作成手段と、
前記購入選択画面を前記携帯情報端末に送信する第１の送信手段と、
前記携帯情報端末から、第１の送信手段で送信した購入選択画面に対する曲名情報の選択操作を受け付け、選択された曲名情報に対応する着信メロディ情報の購入画面を作成する第２の作成手段と、
前記購入画面を前記携帯情報端末に送信する第２の送信手段と、
を備えたことを特徴とする商品サーバ装置。
【請求項４】
商品に付されたパターンコードを撮影することにより当該商品の識別コードを取得可能なカメラ付き携帯情報端末との間でネットワークを介して通信を行う商品サーバ装置の商品検索方法であって、
商品毎に識別コードと、当該商品に関する一つ以上の属性情報とを対応付けて第１のメモリに記憶しているとともに、
属性情報とコンテンツ情報とを対応付けて第２のメモリに記憶しており、
携帯情報端末からアクセスを受け付けて識別コードを受信する第１のステップと、
前記第１のステップで携帯情報端末から受信した識別コードに対応する属性情報を第１のメモリを参照して検索する第２のステップと、
前記第２のステップで検索された属性情報に対応するコンテンツ情報が第２のメモリに存在するかを確認する第３のステップと、
前記第３のステップでコンテンツ情報の存在が確認された属性情報からコンテンツの購入画面を作成する第４のステップと、
前記第４のステップで作成された購入画面を前記携帯情報端末に送信する第５のステップと、
を含んだことを特徴とする商品検索方法。
【請求項５】
商品に付されたパターンコードを撮影することにより当該商品の識別コードを取得可能なカメラ付き携帯情報端末との間でネットワークを介して通信を行う商品サーバ装置の商品検索方法であって、
商品毎に識別コードと、当該商品に関する一つ以上の属性情報とを対応付けて第１のメモリに記憶しているとともに、
属性情報とコンテンツ情報とを対応付けて第２のメモリに記憶しており、
携帯情報端末からアクセスを受け付けて識別コードを受信する第１のステップと、
前記第１のステップで携帯情報端末から受信した識別コードに対応する属性情報を第１のメモリを参照して検索する第２のステップと、
前記第２のステップで検索された属性情報に対応するコンテンツ情報が第２のメモリに存在するかを確認する第３のステップと、
前記第３のステップでコンテンツ情報の存在が確認された属性情報からコンテンツの購入選択画面を作成する第４のステップと、
前記第４のステップで作成された購入選択画面を前記携帯情報端末に送信する第５のステップと、
前記携帯情報端末から、前記第５のステップで送信した購入選択画面に対する属性情報の選択操作を受け付け、選択された属性情報に対応するコンテンツ情報の購入画面を作成する第６のステップと、
前記第６のステップで作成された購入画面を前記携帯情報端末に送信する第７のステップと、
を含んだことを特徴とする商品検索方法。
【請求項６】
ＣＤアルバムに付されたパターンコードを撮影することにより当該ＣＤアルバムの識別コードを取得可能なカメラ付き携帯情報端末との間でネットワークを介して通信を行う商品サーバ装置の商品検索方法であって、
商品であるＣＤアルバム毎に識別コードと、当該ＣＤアルバムに収録されている曲名情報とを対応付けて第１のメモリに記憶しているとともに、
曲名情報と着信メロディ情報とを対応付けて第２のメモリに記憶しており、
携帯情報端末からアクセスを受け付けて識別コードを受信する第１のステップと、
前記第１のステップで携帯情報端末から受信した識別コードに対応する曲名情報を第１のメモリを参照して検索する第２のステップと、
前記第２のステップで検索された曲名情報に対応する着信メロディ情報が第２のメモリに存在するかを確認する第３のステップと、
前記第３のステップで着信メロディ情報の存在が確認された曲名情報を表示する購入選択画面を作成する第４のステップと、
前記第４のステップで作成された購入選択画面を前記携帯情報端末に送信する第５のステップと、
前記携帯情報端末から、前記第５のステップで送信した購入選択画面に対する曲名情報の選択操作を受け付け、選択された曲名情報に対応する着信メロディ情報の購入画面を作成する第６のステップと、
前記第６のステップで作成された購入画面を前記携帯情報端末に送信する第７のステップと、
を含んだことを特徴とする商品検索方法。
【請求項７】
商品に付されたパターンコードを撮影することにより当該商品の識別コードを取得可能なカメラ付き携帯情報端末との間でネットワークを介して通信を行う商品サーバ装置のコンピュータにより実行可能なコンピュータプログラムであって、  
商品毎に識別コードと、当該商品に関する一つ以上の属性情報とを対応付けて第１のメモリに記憶しているとともに、
属性情報とコンテンツ情報とを対応付けて第２のメモリに記憶しており、
携帯情報端末からアクセスを受け付けて識別コードを受信する第１のステップと、
前記第１のステップで携帯情報端末から受信した識別コードに対応する属性情報を第１のメモリを参照して検索する第２のステップと、
前記第２のステップで検索された属性情報に対応するコンテンツ情報が第２のメモリに存在するかを確認する第３のステップと、
前記第３のステップでコンテンツ情報の存在が確認された属性情報からコンテンツの購入画面を作成する第４のステップと、
前記購入画面を前記携帯情報端末に送信する第５のステップと、
を前記コンピュータに実行させることを特徴とするコンピュータプログラム。
【請求項８】
商品に付されたパターンコードを撮影することにより当該商品の識別コードを取得可能なカメラ付き携帯情報端末との間でネットワークを介して通信を行う商品サーバ装置のコンピュータにより実行可能なコンピュータプログラムであって、
商品毎に識別コードと、当該商品に関する一つ以上の属性情報とを対応付けて第１のメモリに記憶しているとともに、
属性情報とコンテンツ情報とを対応付けて第２のメモリに記憶しており、
携帯情報端末からアクセスを受け付けて識別コードを受信する第１のステップと、
前記第１のステップで携帯情報端末から受信した識別コードに対応する属性情報を第１のメモリを参照して検索する第２のステップと、
前記第２のステップで検索された属性情報に対応するコンテンツ情報が第２のメモリに存在するかを確認する第３のステップと、
前記第３のステップでコンテンツ情報の存在が確認された属性情報からコンテンツの購入選択画面を作成する第４のステップと、
前記購入選択画面を前記携帯情報端末に送信する第５のステップと、
前記携帯情報端末から、前記第５のステップで送信した購入選択画面に対するコンテンツの選択操作を受け付け、選択されたコンテンツの購入画面を作成する第６のステップと、
前記購入画面を前記携帯情報端末に送信する第７のステップと、
を前記コンピュータに実行させることを特徴とするコンピュータプログラム。
【請求項９】
ＣＤアルバムに付されたパターンコードを撮影することにより当該ＣＤアルバムの識別コードを取得可能なカメラ付き携帯情報端末との間でネットワークを介して通信を行う商品サーバ装置のコンピュータにより実行可能なコンピュータプログラムであって、
商品であるＣＤアルバム毎に識別コードと、当該ＣＤアルバムに収録されている曲名情報とを対応付けて第１のメモリに記憶しているとともに、
曲名情報と着信メロディ情報とを対応付けて第２のメモリに記憶しており、
携帯情報端末からアクセスを受け付けて識別コードを受信する第１のステップと、
前記第１のステップで携帯情報端末から受信した識別コードに対応する曲名情報を第１のメモリを参照して検索する第２のステップと、
前記第２のステップで検索された曲名情報に対応する着信メロディ情報が第２のメモリに存在するかを確認する第３のステップと、
前記第３のステップで着信メロディ情報の存在が確認された曲名情報を表示する購入選択画面を作成する第４のステップと、
前記購入選択画面を前記携帯情報端末に送信する第５のステップと、
前記携帯情報端末から、前記第５のステップで送信した購入選択画面に対する曲名情報の選択操作を受け付け、選択された曲名情報に対応する着信メロディ情報の購入画面を作成する第６のステップと、
前記購入画面を前記携帯情報端末に送信する第７のステップと、
を前記コンピュータに実行させることを特徴とするコンピュータプログラム。
【手続補正２】
【補正対象書類名】明細書
【補正対象項目名】０００２
【補正方法】変更
【補正の内容】
【０００２】
従来、携帯電話端末で利用される着信メロディ（以下、着メロという。）の入手手段としては、インターネットに接続するサーバにおいて提供される着メロサイトに携帯電話端末から移動体通信網を介して接続し、その着メロを検出してダウンロードするという手段が一般的である。携帯電話端末の場合には、パーソナルコンピュータのキーボードのように簡単に文字入力することが困難なので、例えばアーティスト名、曲名などの先頭文字を頼りに絞り込む検索手段が用いられている。
しかし、このような手段においても所望の着メロをダウンロード要求するページまで到
達するには多くの操作が必要である。このような多くの操作を省くために、音楽のＣＤ（
Ｃｏｍｐａｃｔ  Ｄｉｓｃ）等の包装に付されている識別コードをユーザが携帯電話端末
において入力し、予めサーバが記憶している識別コードに対応する着メロダウンロードサ
イトのＵＲＬを携帯電話端末に応答する手段が提案されている。（例えば、特許文献１参
照）。
【特許文献１】特開２００２−１４２０４４号公報
【手続補正３】
【補正対象書類名】明細書
【補正対象項目名】０００５
【補正方法】変更
【補正の内容】
【０００５】
上述した課題を解決するために、請求項１記載の発明は、商品に付されたパターンコードを撮影することにより当該商品の識別コードを取得可能なカメラ付き携帯情報端末との間でネットワークを介して通信を行う商品サーバ装置であって、商品毎に識別コードと、当該商品に関する一つ以上の属性情報とを対応付けて記憶する第１の記憶手段と、属性情報とコンテンツ情報とを対応付けて記憶する第２の記憶手段と、携帯情報端末からアクセスを受け付けて識別コードを受信する受信手段と、前記携帯情報端末から受信した識別コードに対応する属性情報を第１の記憶手段を参照して検索する検索手段と、前記検索手段で検索された属性情報に対応するコンテンツ情報が第２の記憶手段に存在するかを確認する確認手段と、前記確認手段でコンテンツ情報の存在が確認された属性情報からコンテンツの購入画面を作成する作成手段と、前記購入画面を前記携帯情報端末に送信する送信手段と、を備えたことを特徴とするものである。
【手続補正４】
【補正対象書類名】明細書
【補正対象項目名】０００６
【補正方法】変更
【補正の内容】
【０００６】
請求項２記載の発明は、商品に付されたパターンコードを撮影することにより当該商品の識別コードを取得可能なカメラ付き携帯情報端末との間でネットワークを介して通信を行う商品サーバ装置であって、商品毎に識別コードと、当該商品に関する一つ以上の属性情報とを対応付けて記憶する第１の記憶手段と、属性情報とコンテンツ情報とを対応付けて記憶する第２の記憶手段と、携帯情報端末からアクセスを受け付けて識別コードを受信する受信手段と、前記携帯情報端末から受信した識別コードに対応する属性情報を第１の記憶手段を参照して検索する検索手段と、前記検索手段で検索された属性情報に対応するコンテンツ情報が第２の記憶手段に存在するかを確認する確認手段と、前記確認手段でコンテンツ情報の存在が確認された属性情報からコンテンツの購入選択画面を作成する第１の作成手段と、前記購入選択画面を前記携帯情報端末に送信する第１の送信手段と、前記携帯情報端末から、前記第１の送信手段で送信した購入選択画面に対するコンテンツの選択操作を受け付け、選択されたコンテンツの購入画面を作成する第２の作成手段と、前記購入画面を前記携帯情報端末に送信する第２の送信手段と、を備えたことを特徴とするものである。  
【手続補正５】
【補正対象書類名】明細書
【補正対象項目名】０００７
【補正方法】変更
【補正の内容】
【０００７】
請求項３記載の発明は、ＣＤアルバムに付されたパターンコードを撮影することにより当該ＣＤアルバムの識別コードを取得可能なカメラ付き携帯情報端末との間でネットワークを介して通信を行う商品サーバ装置であって、商品であるＣＤアルバム毎に識別コードと、当該ＣＤアルバムに収録されている曲名情報とを対応付けて記憶する第１の記憶手段と、曲名情報と着信メロディ情報とを対応付けて記憶する第２の記憶手段と、携帯情報端末からアクセスを受け付けて識別コードを受信する受信手段と、前記携帯情報端末から受信した識別コードに対応する曲名情報を第１の記憶手段を参照して検索する検索手段と、前記検索手段で検索された曲名情報に対応する着信メロディ情報が第２の記憶手段に存在するかを確認する確認手段と、前記確認手段で着信メロディ情報の存在が確認された曲名情報を表示する購入選択画面を作成する第１の作成手段と、前記購入選択画面を前記携帯情報端末に送信する第１の送信手段と、前記携帯情報端末から、第１の送信手段で送信した購入選択画面に対する曲名情報の選択操作を受け付け、選択された曲名情報に対応する着信メロディ情報の購入画面を作成する第２の作成手段と、前記購入画面を前記携帯情報端末に送信する第２の送信手段と、を備えたことを特徴とするものである。
【手続補正６】
【補正対象書類名】明細書
【補正対象項目名】０００８
【補正方法】変更
【補正の内容】
【０００８】
請求項４記載の発明は、商品に付されたパターンコードを撮影することにより当該商品の識別コードを取得可能なカメラ付き携帯情報端末との間でネットワークを介して通信を行う商品サーバ装置の商品検索方法であって、商品毎に識別コードと、当該商品に関する一つ以上の属性情報とを対応付けて第１のメモリに記憶しているとともに、属性情報とコンテンツ情報とを対応付けて第２のメモリに記憶しており、携帯情報端末からアクセスを受け付けて識別コードを受信する第１のステップと、前記第１のステップで携帯情報端末から受信した識別コードに対応する属性情報を第１のメモリを参照して検索する第２のステップと、前記第２のステップで検索された属性情報に対応するコンテンツ情報が第２のメモリに存在するかを確認する第３のステップと、前記第３のステップでコンテンツ情報の存在が確認された属性情報からコンテンツの購入画面を作成する第４のステップと、前記第４のステップで作成された購入画面を前記携帯情報端末に送信する第５のステップと、を含んだことを特徴とするものである。
【手続補正７】
【補正対象書類名】明細書
【補正対象項目名】０００９
【補正方法】変更
【補正の内容】
【０００９】
請求項５記載の発明は、商品に付されたパターンコードを撮影することにより当該商品の識別コードを取得可能なカメラ付き携帯情報端末との間でネットワークを介して通信を行う商品サーバ装置の商品検索方法であって、商品毎に識別コードと、当該商品に関する一つ以上の属性情報とを対応付けて第１のメモリに記憶しているとともに、属性情報とコンテンツ情報とを対応付けて第２のメモリに記憶しており、携帯情報端末からアクセスを受け付けて識別コードを受信する第１のステップと、前記第１のステップで携帯情報端末から受信した識別コードに対応する属性情報を第１のメモリを参照して検索する第２のステップと、前記第２のステップで検索された属性情報に対応するコンテンツ情報が第２のメモリに存在するかを確認する第３のステップと、前記第３のステップでコンテンツ情報の存在が確認された属性情報からコンテンツの購入選択画面を作成する第４のステップと、前記第４のステップで作成された購入選択画面を前記携帯情報端末に送信する第５のステップと、前記携帯情報端末から、前記第５のステップで送信した購入選択画面に対する属性情報の選択操作を受け付け、選択された属性情報に対応するコンテンツ情報の購入画面を作成する第６のステップと、前記第６のステップで作成された購入画面を前記携帯情報端末に送信する第７のステップと、を含んだことを特徴とするものである。
【手続補正８】
【補正対象書類名】明細書
【補正対象項目名】００１０
【補正方法】変更
【補正の内容】
【００１０】
請求項６記載の発明は、ＣＤアルバムに付されたパターンコードを撮影することにより当該ＣＤアルバムの識別コードを取得可能なカメラ付き携帯情報端末との間でネットワークを介して通信を行う商品サーバ装置の商品検索方法であって、商品であるＣＤアルバム毎に識別コードと、当該ＣＤアルバムに収録されている曲名情報とを対応付けて第１のメモリに記憶しているとともに、曲名情報と着信メロディ情報とを対応付けて第２のメモリに記憶しており、携帯情報端末からアクセスを受け付けて識別コードを受信する第１のステップと、前記第１のステップで携帯情報端末から受信した識別コードに対応する曲名情報を第１のメモリを参照して検索する第２のステップと、前記第２のステップで検索された曲名情報に対応する着信メロディ情報が第２のメモリに存在するかを確認する第３のステップと、前記第３のステップで着信メロディ情報の存在が確認された曲名情報を表示する購入選択画面を作成する第４のステップと、前記第４のステップで作成された購入選択画面を前記携帯情報端末に送信する第５のステップと、前記携帯情報端末から、前記第５のステップで送信した購入選択画面に対する曲名情報の選択操作を受け付け、選択された曲名情報に対応する着信メロディ情報の購入画面を作成する第６のステップと、前記第６のステップで作成された購入画面を前記携帯情報端末に送信する第７のステップと、を含んだことを特徴とする。
【手続補正９】
【補正対象書類名】明細書
【補正対象項目名】００１１
【補正方法】変更
【補正の内容】
【００１１】
請求項７記載の発明は、商品に付されたパターンコードを撮影することにより当該商品の識別コードを取得可能なカメラ付き携帯情報端末との間でネットワークを介して通信を行う商品サーバ装置のコンピュータにより実行可能なコンピュータプログラムであって、商品毎に識別コードと、当該商品に関する一つ以上の属性情報とを対応付けて第１のメモリに記憶しているとともに、属性情報とコンテンツ情報とを対応付けて第２のメモリに記憶しており、携帯情報端末からアクセスを受け付けて識別コードを受信する第１のステップと、前記第１のステップで携帯情報端末から受信した識別コードに対応する属性情報を第１のメモリを参照して検索する第２のステップと、前記第２のステップで検索された属性情報に対応するコンテンツ情報が第２のメモリに存在するかを確認する第３のステップと、前記第３のステップでコンテンツ情報の存在が確認された属性情報からコンテンツの購入画面を作成する第４のステップと、前記購入画面を前記携帯情報端末に送信する第５のステップと、を前記コンピュータに実行させることを特徴とするものである。
【手続補正１０】
【補正対象書類名】明細書
【補正対象項目名】００１２
【補正方法】変更
【補正の内容】
【００１２】
請求項８記載の発明は、商品に付されたパターンコードを撮影することにより当該商品の識別コードを取得可能なカメラ付き携帯情報端末との間でネットワークを介して通信を行う商品サーバ装置のコンピュータにより実行可能なコンピュータプログラムであって、
商品毎に識別コードと、当該商品に関する一つ以上の属性情報とを対応付けて第１のメモリに記憶しているとともに、属性情報とコンテンツ情報とを対応付けて第２のメモリに記憶しており、携帯情報端末からアクセスを受け付けて識別コードを受信する第１のステップと、前記第１のステップで携帯情報端末から受信した識別コードに対応する属性情報を第１のメモリを参照して検索する第２のステップと、前記第２のステップで検索された属性情報に対応するコンテンツ情報が第２のメモリに存在するかを確認する第３のステップと、前記第３のステップでコンテンツ情報の存在が確認された属性情報からコンテンツの購入選択画面を作成する第４のステップと、前記購入選択画面を前記携帯情報端末に送信する第５のステップと、前記携帯情報端末から、前記第５のステップで送信した購入選択画面に対するコンテンツの選択操作を受け付け、選択されたコンテンツの購入画面を作成する第６のステップと、前記購入画面を前記携帯情報端末に送信する第７のステップと、
を前記コンピュータに実行させることを特徴とするものである。
【手続補正１１】
【補正対象書類名】明細書
【補正対象項目名】００１３
【補正方法】変更
【補正の内容】
【００１３】
請求項９記載の発明は、ＣＤアルバムに付されたパターンコードを撮影することにより当該ＣＤアルバムの識別コードを取得可能なカメラ付き携帯情報端末との間でネットワークを介して通信を行う商品サーバ装置のコンピュータにより実行可能なコンピュータプログラムであって、商品であるＣＤアルバム毎に識別コードと、当該ＣＤアルバムに収録されている曲名情報とを対応付けて第１のメモリに記憶しているとともに、曲名情報と着信メロディ情報とを対応付けて第２のメモリに記憶しており、携帯情報端末からアクセスを受け付けて識別コードを受信する第１のステップと、前記第１のステップで携帯情報端末から受信した識別コードに対応する曲名情報を第１のメモリを参照して検索する第２のステップと、前記第２のステップで検索された曲名情報に対応する着信メロディ情報が第２のメモリに存在するかを確認する第３のステップと、前記第３のステップで着信メロディ情報の存在が確認された曲名情報を表示する購入選択画面を作成する第４のステップと、
前記購入選択画面を前記携帯情報端末に送信する第５のステップと、前記携帯情報端末から、前記第５のステップで送信した購入選択画面に対する曲名情報の選択操作を受け付け、選択された曲名情報に対応する着信メロディ情報の購入画面を作成する第６のステップと、前記購入画面を前記携帯情報端末に送信する第７のステップと、を前記コンピュータに実行させることを特徴とするものである。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】